(57)【要約】      （修正有）【課題】地面に穴を掘らなくても作動可能であり、手軽に設置することのできるくくり罠を提供する。【解決手段】第一アーム４１１と第二アーム４１２とを有するトーションバネ４１と、第一アーム４１１を固定しておく固定部材１６を有する載置台１５と、くくり輪２６１の中に設置される踏み板２０と、トーションバネ４１を巻き込む方向に閉じた状態で第二アーム４１２を係止しておくと共に、獣により踏み板２０が踏まれたときに第二アーム４１２の係止を解除してトーションバネ４１を開放するよう作動するトリガー装置３０と、を備え、トリガー装置３０による係止が解除されて跳ね上がる第二アーム４１２によりロープ２６が引っ張られてくくり輪２６１が締め付けられる。【選択図】図１
0003175849.tif 000002
【実用新案登録請求の範囲】
【請求項１】
ロープで形成されたくくり輪により獣の体の一部を締め付けて拘束するくくり罠において、
第一アームと、先端近傍に前記ロープが通される案内リングが形成された第二アームとを有するトーションバネと、
前記第一アームを固定しておく固定部材を有する載置台と、
前記くくり輪の中に設置される踏み板と、
前記トーションバネを巻き込む方向に閉じた状態で前記第二アームを係止しておくと共に、獣により前記踏み板が踏まれたときに前記第二アームの係止を解除して前記トーションバネを開放するよう作動する、前記載置台上に設置されたトリガー装置と、を備え、
前記トリガー装置による係止が解除されて跳ね上がる前記第二アームによりロープが引っ張られて前記くくり輪が締め付けられることを特徴とするくくり罠。
【請求項２】
前記トリガー装置は、揺動軸周りに揺動自在に軸支された揺動部材と、前記揺動部材と前記第二アームとを連結して前記第二アームを係止しておく連結具と、を備え、前記揺動部材は、前記踏み板が下降する動きを直接受ける踏み板受け部と、前記第二アームによって上方に引っ張られている前記連結具を引っ掛けて係止しておく係止凹部であって、前記踏み板が下降する動きを前記踏み板受け部が受けて前記揺動部材が揺動したときに前記連結具を開放するような形状の係止凹部と、が形成されていることを特徴とする請求項１記載のくくり罠。
【請求項３】
前記トーションバネにおいて、前記案内リングは、前記第二アームが係止された状態で略水平となるように設置されていることを特徴とする請求項１又は２記載のくくり罠。
【請求項４】
前記第二アームが前記第一アームよりも4cm以上長いことを特徴とする請求項１乃至３何れか１項記載のくくり罠。
【考案の詳細な説明】
【技術分野】
【０００１】
本考案は、くくり輪で獣の体の一部を締め付けて拘束するくくり罠に関する。
【背景技術】
【０００２】
従来から、獣が踏み板を踏んだ動きに連動してくくり輪を締め付け、獣の脚等を拘束するくくり罠が提供されており、例えば、下記特許文献１，２に開示されている。これらのくくり罠は、トーションバネを閉じた状態で係止しておき、獣に踏まれた踏み板の動きに連動して、トーションバネの係止を解除して開放することで、くくり輪を構成するロープを引っ張り、くくり輪を締め付けるように構成されている。
【先行技術文献】
【特許文献】
【０００３】
【特許文献１】特開平９−１４９７５４号公報
【特許文献２】実用新案登録第３１５０２４６号公報
【考案の概要】
【考案が解決しようとする課題】
【０００４】
ところが、従来のくくり罠は、トーションバネの係止を解除するために踏み板のストロークがある程度の長さ必要となるため、くくり罠の設置にあたって、穴を掘り、その上に踏み板を設置しておく必要があった。
【０００５】
こうすれば、踏み板が獣に踏まれて穴の中に落下することで、ある程度の長さのストロークを確保でき、トーションバネの開放を確実に実現することができる。しかし、山の中の獣道に穴を掘る作業は重労働であり時間もかかるため、特に、高齢者にとっては大きな負担になっていた。
【０００６】
本考案は、上記課題を解決するためになされたものであり、地面に穴を掘らなくても作動可能であり、手軽に設置することのできるくくり罠を提供することを目的とする。
【課題を解決するための手段】
【０００７】
上記課題を解決するために、本考案に係るくくり罠は、ロープで形成されたくくり輪により獣の体の一部を締め付けて拘束するくくり罠において、第一アームと、先端近傍に前記ロープが通される案内リングが形成された第二アームとを有するトーションバネと、前記第一アームを固定しておく固定部材を有する載置台と、前記くくり輪の中に設置される踏み板と、前記トーションバネを巻き込む方向に閉じた状態で前記第二アームを係止しておくと共に、獣により前記踏み板が踏まれたときに前記第二アームの係止を解除して前記トーションバネを開放するよう作動する、前記載置台上に設置されたトリガー装置と、を備え、前記トリガー装置による係止が解除されて跳ね上がる前記第二アームによりロープが引っ張られて前記くくり輪が締め付けられることを特徴とする。
【考案の効果】
【０００８】
本考案に係るくくり罠によれば、踏み板のストロークが短くてもくくり罠を作動させることができ、地面に穴を掘らなくてもくくり罠を手軽に設置することができる。
【図面の簡単な説明】
【０００９】
【図１】図１は、本考案の実施形態に係るくくり罠の正面図である。
【図２】図２は、本考案の実施形態に係るくくり罠の平面図である。
【図３】図３は、本考案の実施形態に係るトリガー装置を構成する支持部材の側面図である。
【図４】図４は、本考案の実施形態に係るトリガー装置の要部を拡大して示す正面図である。
【考案を実施するための形態】
【００１０】
以下、図面を参照しながら、本考案の実施形態について詳細に説明する。図１は、本実施形態に係るくくり罠の正面図である。図２は、本実施形態に係るくくり罠の平面図である。本実施形態では、猪を捕まえるためのくくり罠として説明する。
【００１１】
図１及び図２に示すように、本実施形態に係るくくり罠１０は、載置台１５と、踏み板２０と、くくり罠１０を作動させるためのトリガー装置３０と、弾性部４０と、獣の体の一部を締め付けて拘束するためのロープ部２５と、を備えている。
【００１２】
載置台１５は、所定の長さの断面がコの字形の軽溝形鋼から構成され、開放された側を下向きに設置される。載置台１５の上面には、後述するトーションバネ４１の第一アーム４１１を固定しておくバネ固定リング１６が二箇所に設置されている。くくり罠１０の設置にあたっては、両側面が地中に埋まるように載置台１５を地面に埋め込めば、くくり罠１０を安定して設置することができる。
【００１３】
踏み板２０は、くくり輪２６１の中に設置されるＴ字形の平板であるＴ字板２１と、Ｔ字板２１の根元に固定された棒状部材であって、後述するトリガー装置３０の揺動部材３１に接触して踏まれた力を伝達する踏力伝達部材２２と、を備えている。
【００１４】
踏み板２０の形状は、任意の形状に変更可能で有り、例えば、Ｔ字板２１と踏力伝達部材２２とを一体に構成しても良いし、猪に踏まれやすいようにＴ字板２１の上に円板をさらに設置しても良い。すなわち、猪に踏まれて動くことで、その踏力をトリガー装置３０に伝達できる形状であれば良い。
【００１５】
ロープ部２５は、鋼の素線を撚り合わせて作られたワイヤロープ２６と、ストッパ２７と、締め付け金具２８と、スイベル（よりもどし）２９とを備えている。ワイヤロープ２６の先端側には、ワイヤロープ２６の先端に固定された締め付け金具２８によりくくり輪２６１が形成されている。
【００１６】
くくり罠１０が作動すると、このくくり輪２６１が小さくなるようにワイヤロープ２６の根元側が引っ張られるので、くくり輪２６１の中に位置する猪の足がワイヤロープ２６によって締め付けられる。
【００１７】
ストッパ２７は、ワイヤロープ２６の先端から所定の長さの位置に固定されている。ストッパ２７は、締め付け金具２８の穴に引っ掛かることで、ワイヤロープ２６のくくり輪２６１の絞りを一定の大きさに制限する安全装置として機能する。
【００１８】
ワイヤロープ２６の根元側端部は、くくり罠１０が設置される場所に生えている木の幹や、地面に打ち込まれた杭に固定される。スイベル２９は、上下二つのリングが垂直軸周りに互いに回動自在な連結具であり、ワイヤロープ２６の途中に介在して設置されている。これにより、くくり輪２６１に拘束された猪が暴れたときに、ワイヤロープ２６が絡んだりするのを防止することができる。
【００１９】
続いて、トリガー装置３０の構成について、さらに図３及び図４を参照しながら説明する。図３は、本実施形態に係るトリガー装置を構成する支持部材の側面図である。図４は、本実施形態に係るトリガー装置の要部を拡大して示す正面図であり、図４（ａ）は、くくり罠１０をセットした状態を示す図、図４（ｂ）は、くくり罠１０が作動した後の状態を示す図である。
【００２０】
トリガー装置３０は、踏み板２０から踏力を伝達されることで、くくり罠１０を作動させるための装置である。トリガー装置３０は、踏み板２０の動きに連動して弾性部４０の係止を解除するための揺動部材３１と、揺動部材３１を揺動軸周りに揺動自在に支持する支持部材３５と、揺動部材３１と弾性部４０とを連結して係止しておくための連結具３７と、を備えている。
【００２１】
支持部材３５は、載置台１５の上面に固定されて、揺動部材３１を揺動自在に支持する金属製の部材である。図３及び図４に示すように、支持部材３５は、側方から見た場合、細長い略逆Ｕ字形形状をしており、両側面３５１の間に揺動部材３１を軸支するための揺動軸３５５が設置されている。揺動部材３１は、この両側面３５１の間に位置して、揺動軸３５５に軸支される。
【００２２】
揺動部材３１は、スパナのような形状をしており、略Ｕ字形状のＵ字形部３１１と柄部３１５とから構成されている。Ｕ字形部３１１の凹部の図中上側部分は、後述するトーションバネ４１を巻き込む方向に閉じた状態で係止しておくために、連結具３７の下端側を引っ掛けて係止しておく係止凹部３１２として機能する。
【００２３】
Ｕ字形部３１１の係止凹部３１２として機能する突出部分と反対側の突出部分には、軸穴が形成されており、この軸穴に支持部材３５の揺動軸３５５が挿通されおり、揺動部材３１は、この軸穴周りに揺動自在である。
【００２４】
また、支持部材３５の両側面３５１の上半分は、略Ｕ字形状にカットされており、くくり罠１０をセットした状態では、係止凹部３１２に引っ掛けられた連結具３７がこの切り欠き部分に位置する。連結具３７は、トーションバネ４１が開かないように押さえておくための連結具である。
【００２５】
本実施形態では、連結具３７として、スイベルを用いている。連結具３７の下側リングは、揺動部材３１の係止凹部３１２に引っ掛けられ、連結具３７の上側リングは、トーションバネ４１の第二アーム４１２に通されている。もちろん、連結具３７としては、第二アーム４１２と係止凹部３１２とに引っ掛けて連結しておくことができる部材であれば、Ｓカン等、他の部材を用いても良い。
【００２６】
柄部３１５の側面には水平に延在する水平ピン３１６が設置されている。くくり罠１０のセット状態においては、この踏み板受け部としての水平ピン３１６の上に踏力伝達部材２２が置かれるため、踏み板２０が猪に踏まれ、踏力伝達部材２２が下降すると、水平ピン３１６も下降し、揺動部材３１は図４における反時計回りに回転することになる。
【００２７】
くくり罠１０をセットした状態では、連結具３７により揺動部材３１の係止凹部３１２が上方に引っ張られて釣り合った状態となっている（図４（ａ）参照）。これに対して踏み板２０が踏まれた後は、踏力伝達部材２２を介して揺動部材３１に伝達された踏力により、揺動部材３１が反時計回りに回転するため、連結具３７の下側リングが係止凹部３１２から外れ、揺動部材３１は、図４（ｂ）に示す状態となる。
【００２８】
なお、図４（ａ）に示すセット状態から、連結具３７が外れるまでの揺動部材３１の回転角度は、30°程度である。このように、本実施形態では、猪の踏力を踏み板２０から直接トリガー装置３０の揺動部材３１に伝達し、揺動部材３１が僅かに回転するだけでトーションバネ４１の係止を解除することができる。
【００２９】
また、本実施形態では、くくり罠１０のセット状態において、揺動部材３１の水平ピン３１６は、地面（載置台１５の上面近傍）から5cm程度の高さに位置し、2,3cm程度水平ピン３１６が下降すれば、連結具３７が係止凹部３１２から外れるようになっており、くくり罠１０を作動させるための踏み板２０の移動量が非常に小さくて済む。よって、地面に穴を掘らずに地表に踏み板を設置した場合であっても、確実にくくり罠１０を作動させることができる。
【００３０】
弾性部４０は、くくり輪２６１を締め付ける動力を提供しており、強力なトーションバネ（ねじりバネ）４１と、ワイヤ案内リング４３と、を備えている。トーションバネ４１は、コイルバネの一方の端部に第一アーム４１１が形成され、他方の端部に第二アーム４１２が形成されている。第二アーム４１２は、第一アーム４１１よりも5cm程度長く構成されている。
【００３１】
トーションバネ４１は、バネを巻き込む方向に両アーム４１１，４１２を閉じると、両アーム４１１，４１２を開く方向に強力な弾性力が作用する。本実施形態では、トーションバネ４１として、自由角度が135°バネを巻き込む方向に閉じて使用する際の許容角度が135°のものを使用しているが、もちろん、適宜異なる特性のトーションバネを使用することができる。
【００３２】
くくり罠１０をセットした状態では、図１に示すように、トーションバネ４１の第一アーム４１１が載置台１５の二つのバネ固定リング１６に差し込まれて固定され、第一アーム４１１と略平行になるように閉じられた第二アーム４１２は、連結具３７によって開かないように下方向に引っ張られている。このように、セット状態においてアーム角度が略0°になるように閉じられたトーションバネ４１には、両アーム４１１，４１２が開く方向に強力な弾性力が作用した状態となっている。
【００３３】
トーションバネ４１の第二アーム４１２の先端には、後述するワイヤロープ２６を通すためのワイヤ案内リング４３が設置されている。ワイヤ案内リング４３は、リング部分が略水平になるように第二アーム４１２に固定されている。これにより、くくり罠１０が作動して第二ワーム４１２が開き、第二アーム４１２の先端が急激に上昇したとき、ワイヤロープ２６もワイヤ案内リング４３のリング部分によって上方に引っ張られることになる。なお、ワイヤ案内リング４３は、容易に開閉可能なリング構造を採用しており、ワイヤロープ２６を通す際には、リング部分を開いて簡単に通すことができる。
【００３４】
また、本実施形態では、第一アーム４１１よりも第二アーム４１２のほうが5cm程度長く、ワイヤロープ２６を引っ張るワイヤ案内リング４３が設置された第二アーム４１２の先端は、上昇する際により直線的に上昇する軌跡をたどるため、くくり輪２６１も垂直に引き上げられることになり、確実に猪の脚をくくり輪２６１内に拘束することができる。このような効果を得るためには、第二アーム４１２をより長く（第一アーム４１１よりも4cm以上長く）構成すれば良いが、第二アーム４１２が上昇する際に猪に当たらない程度の長さに抑える必要がある。
【００３５】
以上、くくり罠１０の構成について説明したが、続いて、くくり罠１０の使用方法について説明する。まず、くくり罠１０は、猪が通っていると思われる獣道の途中に設置する。本実施形態では、くくり罠１０を作動させるために必要な踏み板２０のストロークが短いため、穴を掘らずにくくり罠１０を設置することができる。
【００３６】
設置の際には、安全のため、トーションバネ４１の第一アーム４１１と第二アーム４１２とを閉じた状態で押さえておく安全フックを使用しながら行うのが望ましい。また、設置の際に、猪が暴れた際には外れるような結束線により、ワイヤロープ２６のスイベル２９の根元側の部分と第一アーム４１１とを固定しておくと、くくり輪２６１の締め付けをより確実に行うことができる。図１等に示した状態にくくり罠１０をセットした後、安全フックを外して、くくり罠１０を作動可能な状態にしておく。
【００３７】
設置後、くくり罠１０の設置場所を猪が通りかかり、脚で踏み板２０を踏むと、猪の体重により、Ｔ字板２１と共に踏力伝達部材２２が下降する。踏力伝達部材２２の先端部は、トリガー装置３０の揺動部材３１に形成された踏み板受け部としての水平ピン３１６を下方向に押し下げる。
【００３８】
水平ピン３１６が下がると、揺動部材３１が図４において反時計回りに回転するため、連結具３７の下側リングが係止凹部３１２から外れる。これにより、連結具３７による第二アーム４１２の係止が解除されるため、第二アーム４１２は、勢い良く上方に跳ね上がる。
【００３９】
第二アーム４１２と共に、ワイヤ案内リング４３が急激に上昇すると、ワイヤ案内リング４３内を通っているワイヤロープ２６も上方に引っ張られることになるが、くくり輪２６１内に猪の脚が入っているため、くくり輪２６１は猪の胴体の部分までにしか上昇することができず、ワイヤロープ２６は、ワイヤ案内リング４３によって根元側が引っ張り上げられ、くくり輪２６１が締め付けられ、猪の脚に食い込むことになる。
【００４０】
一度締め付けられたくくり輪２６１は、締め付け金具２８により容易に拡がることはなく、猪が暴れるほど、脚に食い込んで締め付ける。また、ワイヤロープ２６の根元側端部は、木や杭に固定されているため、ワイヤロープ２６によって拘束された猪は逃げることができない。
【００４１】
以上、詳細に説明した本実施形態によれば、踏み板２０のストロークが短くてもくくり罠を確実に作動させることができ、地面に穴を掘らなくてもくくり罠を手軽に設置することができる。
【００４２】
また、本実施形態では、踏み板２０の動きを直接トリガー装置３０の揺動部材３１に伝達して回転させるように構成しているので、構造が簡単で設置も簡単であるため、確実にくくり罠１０を作動させることができると共に、コストを抑えることもできる。
【００４３】
以上、本考案の実施形態について詳細に説明したが、本考案は上記実施形態に限定されるものではなく、本考案の主旨を逸脱しない範囲内で種々の変形が可能である。例えば、上記くくり罠は、猪以外の熊や鹿等にも適用できるのは言うまでもない。
【００４４】
また、くくり罠を構成する各部材の形状やサイズは適宜変更可能である。
【符号の説明】
【００４５】
１０      くくり罠
１５      載置台
１６      バネ固定リング
２０      踏み板
２１      Ｔ字板
２２      踏力伝達部材
２５      ロープ部
２６      ワイヤロープ
２６１    くくり輪
２７      ストッパ
２８      締め付け金具
２９      スイベル
３０      トリガー装置
３１      揺動部材
３１１    Ｕ字形部
３１２    係止凹部
３１５    柄部
３１６    水平ピン
３５      支持部材
３５１    側面
３５５    揺動軸
３７      連結具
４０      弾性部
４１      トーションバネ
４１１    第一アーム
４１２    第二アーム
４３      ワイヤ案内リング
【図１】
0003175849.tif 000003
【図２】
0003175849.tif 000004
【図３】
0003175849.tif 000005
【図４】
0003175849.tif 000006